(57)【要約】【課題】構造物の基礎を施工する際の現場労務を軽減するとともに、所要重量を確保する。【解決手段】一対の側壁部１０と一対の連結壁部２２を備えた基礎ブロック３を発泡樹脂によって構成する。壁部１０，２２には鉄筋支持部１２，２２ａを形成する。側壁部１０を連結壁部２２よりも上又は下へ突出させて突出壁部分１１を形成する。これによって、一対の側壁部１０どうし間の空間部１３が、一対の突出壁部分１１どうし間の嵩増空間部分１３ｃを含む。【選択図】図５
2017040106.tif 000002
【特許請求の範囲】
【請求項１】
構造物の基礎に設けられる基礎ブロックであって、
互いの間にコンクリートが充填されるべき空間部を形成するように対向する一対の側壁部と、
前記一対の側壁部どうしを連結するとともに、これら側壁部の対向方向と直交する方向に互いに対向する一対の連結壁部と、
を一体に備えた発泡樹脂によって構成され、
前記側壁部及び／又は前記連結壁部には鉄筋支持部が形成され、
さらに、前記各側壁部には前記連結壁部よりも上又は下へ突出する突出壁部分が形成されることによって、前記空間部が、前記一対の側壁部の突出壁部分どうし間の嵩増空間部分を有していることを特徴とする基礎ブロック。
【請求項２】
請求項１に記載の基礎ブロックと、前記基礎ブロックの前記鉄筋支持部に支持された鉄筋と、前記基礎ブロックの前記嵩増空間部分を含む前記空間部に打設充填されたコンクリートとを備えたことを特徴とする構造物の基礎。
【発明の詳細な説明】
【技術分野】
【０００１】
本発明は、構造物における基礎及び基礎ブロックに関し、特に、塀、柵等の外構に適した基礎及び基礎ブロックに関する。
【背景技術】
【０００２】
建物の外構ブロックの下部には基礎構造を設けるのが一般的である。在来工法では、木製の型枠を周囲に配置し、鉄筋を配筋し、コンクリートを現場打設する。型枠を省略し、鉄筋スペーサー兼用の既製コンクリートブロックを用いる工法も存在する。
【０００３】
特許文献１には、塀の基礎に用いるコンクリート製の基礎ブロックが開示されている。この基礎ブロックは、一対のフェイスシェル（側壁部）と、これらフェイスシェルの間に設けられた主ウェブ（連結壁部）及び副ウェブを備えている。これらフェイスシェル及びウェブに複数の鉄筋挿通凹溝が形成されている。基礎を構築する際は、地面に掘削溝を掘り、この掘削溝に基礎ブロックを収容する。続いて、基礎用の鉄筋を、基礎ブロックの鉄筋挿通凹溝に挿通して支持させる。基礎ブロックの空洞部分にはコンクリートを埋め、更に掘削溝を埋め戻す。
【先行技術文献】
【特許文献】
【０００４】
【特許文献１】実用新案登録第３１２２０９８号公報
【発明の概要】
【発明が解決しようとする課題】
【０００５】
特許文献１をはじめとする従来の基礎ブロックは、コンクリート製である。そのため、重量が嵩み、現場労務の負担が大きい。一方、基礎ブロックを軽重量の材質で形成した場合には、基礎の所要重量の確保が問題となる。
本発明は、かかる事情に鑑み、基礎ブロックの重量を軽くして現場労務を軽減するとともに、基礎の所要重量を確保することを目的とする。
【課題を解決するための手段】
【０００６】
前記問題点を解決するために、本発明は、構造物の基礎に設けられる基礎ブロックであって、
互いの間にコンクリートが充填されるべき空間部を形成するように対向する一対の側壁部と、
前記一対の側壁部どうしを連結するとともに、これら側壁部の対向方向と直交する方向に互いに対向する一対の連結壁部と、
を一体に備えた発泡樹脂によって構成され、
前記側壁部及び／又は前記連結壁部には鉄筋支持部が形成され、
さらに、前記各側壁部には前記連結壁部よりも上又は下へ突出する突出壁部分が形成されることによって、前記空間部が、前記一対の側壁部の突出壁部分どうし間の嵩増空間部分を有していることを特徴とする。
この基礎ブロックは、発泡樹脂製であるからコンクリート製とするよりも重量を大幅に軽くでき、構造物の基礎を施工する際の現場労務を軽減できる。また、基礎ブロックの空間部にコンクリートを充填することで、基礎としての重量を確保できる。特に、嵩増空間部分を設けることで、コンクリートを割り増しして充填できるから、基礎としての重量を十分に確保できる。
【０００７】
また、本発明に係る構造物の基礎は、前記基礎ブロックと、前記基礎ブロックの前記鉄筋支持部に支持された鉄筋と、前記基礎ブロックの前記嵩増空間部分を含む前記空間部に打設充填されたコンクリートとを備えたことを特徴とする。
【発明の効果】
【０００８】
本発明によれば、基礎ブロックの重量を軽くして、構造物の基礎を施工する際の現場労務を軽減できるとともに、基礎としての所要重量を確保することができる。
【図面の簡単な説明】
【０００９】
【図１】図１は、本発明の第１実施形態に係る基礎ブロックの正面図である。
【図２】図２は、図１のＩＩ−ＩＩ線に沿う、前記基礎ブロックの平面図である。
【図３】図３は、図１のＩＩＩ−ＩＩＩ線に沿う、前記基礎ブロックの側面断面図である。
【図４】図４は、前記基礎ブロックの斜視図である。
【図５】図５は、前記基礎ブロックを含む外構基礎の、コンクリート打設前における斜視図である。
【図６】図６は、前記外構基礎を、図２のＶＩ−ＶＩ線に沿う断面にて示す正面断面図である。
【図７】図７は、本発明の第２実施形態に係る基礎ブロックの斜視図である。
【図８】図８は、前記第２実施形態の基礎ブロックを含む正面断面図である。
【発明を実施するための形態】
【００１０】
以下、本発明の実施形態を図面にしたがって説明する。
［第１実施形態］
図５及び図６は、例えば、塀等の外構（構造物）の基礎１を示したものである。図６に示すように、地面ＧＬに掘削溝２が掘られ、この掘削溝２に外構基礎１が構築されている。外構基礎１は、基礎ブロック３と、立上ブロック４と、鉄筋５，６を備え、図６と直交する方向へ延びている。
【００１１】
＜基礎ブロック３＞
図１〜図４に示すように、基礎ブロック３は、一対の側壁部１０，１０と、一対の連結壁部２２，２２とを備え、概略四角形の箱状ないしは枠状になっている。基礎ブロック３の材質は、コンクリートではなく、発泡樹脂によって構成され、好ましくは発泡スチロールによって構成されている。図２に示すように、基礎ブロック３の長さＬは、例えばＬ＝３５０ｍｍ〜４５０ｍｍ程度である。基礎ブロック３の幅Ｗは、例えばＷ＝３００ｍｍ〜４００ｍｍ程度である。図１に示すように、基礎ブロック３の高さＨは、一般的なコンクリート製の基礎ブロックより大きく、例えばＨ＝１５０ｍｍ〜３００ｍｍ程度である。基礎ブロック３の重量は、１．５ｋｇ〜２．５ｋｇ程度であり、コンクリート製のブロックと比べて極めて軽量である。
【００１２】
図１及び図４に示すように、側壁部１０は、概略長方形の板形状になっている。この側壁部１０が、短手方向を上下に向けて立設されている。一対の側壁部１０，１０どうしが、基礎ブロック３の幅方向（図１において左右方向）に離れて平行に対向している。
片側（図１において左側）の側壁部１０の上端面には、切り欠き溝状の嵌合段差１４が形成されている。嵌合段差１４は、側壁部１０の全長にわたって延びている。
【００１３】
図１及び図４に示すように、各側壁部１０には、縦筋支持部１２（鉄筋支持部）が一体に設けられている。縦筋支持部１２は、概略直方体形状になっている。図２に示すように、この縦筋支持部１２が、側壁部１０の内側面の中央部から他方の側壁部１０へ向かって突出している。２つの側壁部１０，１０の縦筋支持部１２，１２どうしが、基礎ブロック３の幅方向（図２において左右）に離れて対峙している。図１及び図３に示すように、縦筋支持部１２の底面は、側壁部１０の底面と面一になっている。縦筋支持部１２の上面は、側壁部１０の上下方向の中間部に位置している。
【００１４】
図１及び図４に示すように、各縦筋支持部１２における他方の縦筋支持部１２を向く側の上部には、段差状の切欠部１２ｄが形成されている。切欠部１２ｄに縦筋支持凹部１２ｖ，１２ｈが形成されている。縦筋垂直部支持凹部１２ｖは、切欠部１２ｄの垂直面に設けられ、上下に延びている。縦筋水平部支持凹部１２ｈは、切欠部１２ｄの水平な底面に設けられ、縦筋垂直部支持凹部１２ｖの下端部と交差するとともに左右に延びている。
【００１５】
図１に示すように、一対の側壁部１０，１０の間に、一対の連結壁部２２，２２が設けられている。連結壁部２２は、概略長方形の板状になっている。連結壁部２２の長手方向は、側壁部１０と直交（交差）するように向けられ、短手方向は上下に向けられている。図２に示すように、一対の連結壁部２２，２２どうしは、一対の側壁部１０，１０どうしの対向方向と直交する方向に対向している。連結壁部２２の両端部が、側壁部１０に近づくにしたがって漸次拡幅しながら、側壁部１０と一体に接続されている。連結壁部２２の両端部における両側面は、平面視において円弧状の曲面を描きながら側壁部１０の内側面に滑らかに連なっている。連結壁部２２によって、一対の側壁部１０，１０どうしが連結されている。一対の連結壁部２２，２２どうしの間に、縦筋支持部１２，１２が配置されている。図１に示すように、連結壁部２２の底面は、側壁部１０の底面と面一になっている。連結壁部２２の上面は、側壁部１０の上下方向の中間部に配置されている。連結壁部２２の上面の高さは、縦筋支持部１２の上面よりも高い。
【００１６】
図１に示すように、各連結壁部２２の両側部には、一対の横筋挿通凹部２２ａ，２２ａ（鉄筋支持部）が形成されている。横筋挿通凹部２２ａは、連結壁部２２の上面から真っ直ぐに下方へ延びている。横筋挿通凹部２２ａの下端部は、連結壁部２２の上下方向の中間部に配置されている。横筋挿通凹部２２ａは、正面視において切欠部１２ｄと重なっている。
【００１７】
図１に示すように、側壁部１０は、連結壁部２２の上端部よりも上方へ突出されている。この突出部が突出壁部分１１を構成している。一対の側壁部１０，１０の突出壁部分１１，１１が、基礎ブロック３の幅方向（図１において左右方向）に離れて対向している。突出壁部分１１の連結壁部２２からの突出高さＨ１１は、例えばＨ１１＝５０ｍｍ〜１５０ｍｍ程度である。また、突出壁部分１１の突出高さＨ１１は、好ましくは、側壁部１０における突出壁部分１１より下側の部分の高さＨ０の０．４倍〜１．２倍程度である。突出壁部分１１の突出分だけ、基礎ブロック３の高さが、一般的なコンクリート製の基礎ブロックよりも大きくなっている。
【００１８】
図２及び図４に示すように、基礎ブロック３の内部には、空間部１３が形成されている。空間部１３は、主空間部分１３ａと、側方空間部分１３ｂと、嵩増空間部分１３ｃを含み、基礎ブロック３の上方及び下方、並びに長手方向（図２において上下）の両側方へ開口されている。主空間部分１３ａは、一対の側壁部１０，１０（突出壁部分１１，１１を除く）と一対の連結壁部２２，２２とで囲まれた空間であり、下方へ開放されるとともに、後記嵩増空間部分１３ｃを介して上方へ開放されている。側方空間部分１３ｂは、各連結壁部２２より外側（図２において上下）における一対の側壁部１０，１０（突出壁部分１１，１１を除く）で挟まれた空間部分であり、側方及び下方へ開放されるとともに、後記嵩増空間部分１３ｃを介して上方へ開放されている。
【００１９】
さらに、図１及び図４に示すように、突出壁部分１１，１１どうしの間に嵩増空間部分１３ｃが画成されている。これによって、空間部１３は、突出壁部分１１の分だけ上方へ嵩増しされている。嵩増空間部分１３ｃは、上方及び長手方向両側の側方へ開放されている。かつ、嵩増空間部分１３ｃの下方には主空間部分１３ａ及び側方空間部分１３ｂが一体に連なっている。
【００２０】
＜外構基礎１＞
図５に示すように、外構基礎１は、複数の基礎ブロック３，３…を含む。これら基礎ブロック３，３…が、外構基礎１の延び方向に一列に並べられている。基礎ブロック３の各側壁部１０の長手方向が、外構基礎１の延び方向に向けられている。隣接する基礎ブロック３，３の側壁部１０，１０の対向端面どうしが互いに突き当てられている。図３において二点鎖線にて示すように、隣接する基礎ブロック３，３の側方空間部分１３ｂ，１３ｂどうしが一体に連なるとともに、これら基礎ブロック３，３の嵩増空間部分１３ｃ，１３ｃどうしが一体に連なっている。
【００２１】
図６に示すように、基礎ブロック３，３…の空間部１３，１３…には、コンクリート７が現場打ちされて充填されている。コンクリート７の上面は、基礎ブロック３の上面とほぼ面一になっている。
【００２２】
コンクリート７の内部に縦筋５の一部及び横筋６が埋設されている。縦筋５は、垂直部５ｖと、水平部５ｈを有している。図５及び図６に示すように、垂直部５ｖは、基礎ブロック３よりも上方へ突出されている。垂直部５ｖの下端部は、片側（図６において左側）の縦筋支持部１２の縦筋垂直部支持凹部１２ｖに挿し込まれている。垂直部５ｖの下端部に水平部５ｈが直角に交わっている。水平部５ｈは、２つの縦筋支持部１２，１２どうしの間に架け渡されている。水平部５ｈにおける垂直部５ｖと交差する側部は、片側（図６において左側）の縦筋支持部１２の縦筋水平部支持凹部１２ｈに挿し込まれている。水平部５ｈの先端部は、他方（図６において右側）の縦筋支持部１２の縦筋水平部支持凹部１２ｈに挿し込まれている。
【００２３】
横筋６は、外構基礎１の延び方向（図６において紙面と直交する方向）に沿って水平に延びている。２本の横筋６，６が、外構基礎１の幅方向（図６において左右）に離れて並べられている。これら横筋６，６が、一列をなす基礎ブロック３，３…を貫いている。各横筋６は、横筋挿通凹部２２ａの下端部まで挿し込まれている。
【００２４】
図６に示すように、基礎ブロック３上に複数段（図では２段）の立上ブロック４が積み上げられている。立上ブロック４は、発泡スチロール（発泡樹脂）にて構成されている。基礎ブロック３の直上の立上ブロック４の底面の片側（図６において左側）の嵌合段差４ｂが、基礎ブロック３の嵌合段差１４と嵌合している。縦筋５の垂直部５ｖが、立上ブロック４の貫通穴４ｃを鉛直に貫通している。貫通穴４ｃにはモルタル８が充填されている。
【００２５】
外構基礎１は、次のようにして構築される。
地面ＧＬをパワーショベル等の建設機械によって掘削することで掘削溝２を形成する。掘削溝２の深さは、突出壁部分１１の突出量の分だけ、一般的なコンクリート製の基礎ブロックを用いた場合よりも深くする。掘削溝２の幅については、一般的なコンクリート製の基礎ブロックを用いた場合よりも広くする必要がない。これによって、掘削作業性を確保できる。また、納まりを良くできる。
【００２６】
次に、掘削溝２の底部に地業（図示省略）を介して基礎ブロック３を設置する。更には、複数の基礎ブロック３，３…を掘削溝２の延び方向に並べる。基礎ブロック３は、極めて軽量であるから、労力を大幅に軽減できる。
次に、縦横の鉄筋５，６を凹部１２ｖ，１２ｈ，２２ａに嵌め込みながら配筋する。これによって、鉄筋５，６を基礎ブロック３によって簡単に支持することができる。したがって、別途の鉄筋支持手段を必要としない。よって、施工作業を一層簡易化することができる。
【００２７】
次に、コンクリート７を空間部１３に打設充填する。基礎ブロック３が型枠の代わりとなるから、別途の型枠を必要としない。これによって、施工作業をより一層簡易化することができる。
主空間部分１３ａ及び側方空間部分１３ｂだけでなく、嵩増空間部分１３ｃにもコンクリート７を充填する。基礎ブロック３そのものは、発泡樹脂製であるため軽量であるが、空間部１３にコンクリート７を充填することによって、基礎コンクリートとしての重量を確保できる。特に、嵩増空間部分１３ｃを設けることで、コンクリート７を割り増しして充填できるから、基礎としての重量を十分に確保することができる。また、嵩増空間部分１３ｃを基礎ブロック３の上側部分に配置することによって、コンクリート７の打設時に基礎ブロック３が浮き上がるのを防止できる。
【００２８】
次に、立上ブロック４を、コンクリート７上ひいては基礎ブロック３上に設置する。貫通穴４ｃには縦筋５を通す。また、立上ブロック４の片側（図６において左側）の嵌合段差４ｂを基礎ブロック３の嵌合段差１４と嵌合させる。更に好ましくは、コンクリート７が未硬化の段階で、立上ブロック４を設置することで、コンクリート７の上面に、立上ブロック４の反対側（図６において右側）の嵌合段差４ｄに嵌る段差７ｄが形成されるようにする。
さらに、貫通穴４ｃにモルタル８を充填する。
その後に、掘削溝２と外構基礎１との間の隙間２ａを埋め戻す。
外構基礎１によれば、基礎ブロック３の重量を軽くして現場労務を軽減できるとともに、基礎としての所要重量を十分に確保することができる。
【００２９】
次に、本発明の他の実施形態を説明する。以下の実施形態に於いて既述の形態と重複する構成に関しては、図面に同一符号を付して説明を省略する。
［第２実施形態］
図７及び図８は、本発明の第２実施形態を示したものである。図７に示すように、第２実施形態の基礎ブロック３Ｂにおいては、一対の側壁部１０，１０が、連結壁部２２よりも下へ突出されている。これによって、突出壁部分１５が形成されている。図８に示すように、突出壁部分１５の連結壁部２２からの突出量Ｈ１５は、例えばＨ１５＝１５０ｍｍ〜３００ｍｍ程度である。また、突出壁部分１５の突出量Ｈ１５は、好ましくは、側壁部１０における突出壁部分１５より上側の部分の高さＨ１の０．４倍〜１．２倍程度である。縦筋支持部１２及び連結壁部２２が突出壁部分１５の高さ分だけ底上げされている。
【００３０】
一対の突出壁部分１５，１５どうしの間に嵩増空間部分１３ｄが形成されている。要するに、基礎ブロック３Ｂにおいては、嵩増空間部分１３ｄが連結壁部２２の下側に設けられている。嵩増空間部分１３ｄの上方に主空間部分１３ａ及び側方空間部分１３ｂが一体に連なっている。
基礎ブロック３Ｂには、上方への突出壁部分１１及び上側の嵩増空間部分１３ｃ（図４）が形成されていない。
【００３１】
片側（図７において左側）の側壁部１０における嵌合段差１４の溝面１４ａが、連結壁部２２の上端面と面一になっている。かつ、反対側（図７において右側）の側壁部１０の上端面が、連結壁部２２の上端面と面一になっている。連結壁部２２の上端面の中間部には、嵌合凸部２２ｂが形成されている。嵌合凸部２２ｂは、２つの横筋挿通凹部２２ａ，２２ａどうしの間における、片側（左側）の横筋挿通凹部２２ａ寄りの位置に配置されている。図８に示すように、基礎ブロック３Ｂ上に立上ブロック４を載せた状態で、嵌合段差１４が、立上ブロック４の片側（左側）の嵌合段差４ｂと嵌合されるとともに、嵌合凸部２２ｂが、立上ブロック４の反対側（右側）の嵌合段差４ｄと嵌合される。
【００３２】
基礎ブロック３Ｂを含む外構基礎１Ｂにおいては、コンクリート７が、基礎ブロック３Ｂの主空間部分１３ａ及び側方空間部分１３ｂに加えて、連結壁部２２より下側の嵩増空間部分１３ｄに充填される。これによって、基礎コンクリートとしての重量を十分に確保できる。
【００３３】
本発明は、前記実施形態に限られず、その趣旨を逸脱しない範囲内で種々の改変をなすことができる。
例えば、基礎ブロック３の樹脂材質は、発泡スチロールに限られず、発泡ポリエチレンや発泡ポリプロピレン等であってもよい。
鉄筋支持部が、側壁部１０及び連結壁部２２の何れか一方だけに設けられていてもよい。
側壁部１０が、上方への突出壁部分１１と、下方への突出壁部分１５の両方を有していてもよい。基礎ブロック３の上下両側部に嵩増空間部分１３ｃ，１３ｄが設けられていてもよい。
【産業上の利用可能性】
【００３４】
本発明は、例えば、外溝基礎、名称板基礎、フェンス基礎などに適用できる。
【符号の説明】
【００３５】
１，１Ｂ    外構基礎（構造物の基礎）
３，３Ｂ    基礎ブロック
５          縦筋（鉄筋）
６          横筋（鉄筋）
７          コンクリート
１０        側壁部
１１        突出壁部分
１２        縦筋支持部（鉄筋支持部）
１３        空間部
１３ｃ      嵩増空間部分
１３ｄ      嵩増空間部分
１５        突出壁部分
２２        連結壁部
２２ａ      横筋挿通凹部（鉄筋支持部）
【図１】
2017040106.tif 000003
【図２】
2017040106.tif 000004
【図３】
2017040106.tif 000005
【図４】
2017040106.tif 000006
【図５】
2017040106.tif 000007
【図６】
2017040106.tif 000008
【図７】
2017040106.tif 000009
【図８】
2017040106.tif 000010